(57)【要約】【課題】ブロックごとに交換することにより、様々な用途に対応させることが可能なプリンタ装置を提供する。【解決手段】プリントヘッドとプラテンローラとの間に挟まれた記録紙に印字を行なうプリンタ装置において、プリントヘッドを有するプリンタメインブロックと、プラテンローラと、可動刃が設置されている可動刃ブロックと、固定刃が設置されている固定刃ブロックと、前記プラテンローラを回転させて前記記録紙を搬送する搬送用モータを有する搬送駆動ブロックと、前記可動刃を動かすための可動刃用モータを有する可動刃駆動ブロックと、を有し、前記プリンタメインブロック、前記プラテンローラ、前記可動刃ブロック、前記固定刃ブロック、前記搬送駆動ブロック、前記可動刃駆動ブロックを接続することにより、前記記録紙を前記固定刃と前記可動刃により切断する機能を備えたプリンタ装置が形成されるものであることを特徴とするプリンタ装置を提供することにより上記課題を解決する。【選択図】  図１
2015044355.tif 000002
【特許請求の範囲】
【請求項１】
プリントヘッドとプラテンローラとの間に挟まれた記録紙に印字を行なうプリンタ装置において、
プリントヘッドを有するプリンタメインブロックと、
プラテンローラと、
可動刃が設置されている可動刃ブロックと、
固定刃が設置されている固定刃ブロックと、
前記プラテンローラを回転させて前記記録紙を搬送する搬送用モータを有する搬送駆動ブロックと、
前記可動刃を動かすための可動刃用モータを有する可動刃駆動ブロックと、
を有し、
前記プリンタメインブロック、前記プラテンローラ、前記可動刃ブロック、前記固定刃ブロック、前記搬送駆動ブロック、前記可動刃駆動ブロックを接続することにより、前記記録紙を前記固定刃と前記可動刃により切断する機能を備えたプリンタ装置が形成されるものであることを特徴とするプリンタ装置。
【請求項２】
前記プリンタメインブロック、前記プラテンローラ、前記搬送駆動ブロックを接続することにより、前記記録紙を切断する機能を有しないプリンタ装置が形成されることを特徴とする請求項１に記載のプリンタ装置。
【請求項３】
前記プリントヘッドにおける仕様を変更する際には、前記プリンタメインブロックをブロックごと交換することを特徴とする請求項１または２に記載のプリンタ装置。
【請求項４】
前記搬送駆動ブロックにおける仕様を変更する際には、前記搬送駆動ブロックをブロックごと交換することを特徴とする請求項１または２に記載のプリンタ装置。
【請求項５】
前記可動刃駆動ブロックにおける仕様を変更する際には、前記可動刃駆動ブロックをブロックごと交換することを特徴とする請求項１に記載のプリンタ装置。
【請求項６】
プリントヘッドにより記録媒体に印字を行なうプリンタ装置において、
前記プリンタヘッドを備えたプリンタメインブロックを有し、
前記プリンタメインブロックに、
固定刃が設置される固定刃ブロック、
前記固定刃に対して移動可能な可動刃が設置される可動刃ブロック、
前記記録紙を搬送する搬送部を駆動する搬送用モータと、前記搬送用モータの駆動力を前記搬送部に伝達する搬送伝達部と、を有する搬送駆動ブロック、
前記可動刃を動かすための可動刃用モータと、前記可動刃用モータの駆動力を前記可動刃に伝達する可動刃伝達部と、を有する可動刃駆動ブロック、
のうちの１または２以上が着脱可能に装着することができることを特徴とするプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなレシート等を発行するプリンタは、記録紙となる感熱紙を搬送しながらサーマルヘッド等により記録紙に印字等を行ない、所定の長さまで記録紙を搬送した後、カッターで所定の長さで記録紙を切断するものである。
【０００３】
このようなプリンタ装置においては、例えば、プリンタ本体部と、プリンタ本体部に回転可能な状態で支持された蓋部が設けられており、この蓋部を開くことによりプリンタ本体部に、ロール状に巻かれた記録紙を設置することができる。この場合、例えば、サーマルヘッド等は、プリンタ本体部に設置されており、プラテンローラは蓋部に設置されており、蓋部を閉じることにより、記録紙はサーマルヘッド等とプラテンローラに間に挟まれる。このようにサーマルヘッド等とプラテンローラに間に記録紙が挟まれた状態で、記録紙にサーマルヘッド等による印字がなされる。
【先行技術文献】
【特許文献】
【０００４】
【特許文献１】特開平７−６８８６６号公報
【特許文献２】特開２００３−２４６１０４号公報
【発明の概要】
【発明が解決しようとする課題】
【０００５】
ところで、プリンタ装置においては、プリンタ装置の一部が故障等した場合には、故障した部分のみを容易に交換することができれば、短時間でメンテナンスをすることができ、使用できない期間も短く、利便性も高い。また、プリンタ装置の一部の部品を交換することにより、他の仕様のプリンタ装置にすることができれば、様々な用途に合わせてプリンタ装置を用いることができ、更に、利便性等を向上させることができる。
【０００６】
よって、プリンタ装置の主要部品をブロック化し、用途等に対応してブロックごとに交換することのできるプリンタ装置が求められている。
【課題を解決するための手段】
【０００７】
本実施の形態の一観点によれば、プリントヘッドとプラテンローラとの間に挟まれた記録紙に印字を行なうプリンタ装置において、プリントヘッドを有するプリンタメインブロックと、プラテンローラと、可動刃が設置されている可動刃ブロックと、固定刃が設置されている固定刃ブロックと、前記プラテンローラを回転させて前記記録紙を搬送する搬送用モータを有する搬送駆動ブロックと、前記可動刃を動かすための可動刃用モータを有する可動刃駆動ブロックと、を有し、前記プリンタメインブロック、前記プラテンローラ、前記可動刃ブロック、前記固定刃ブロック、前記搬送駆動ブロック、前記可動刃駆動ブロックを接続することにより、前記記録紙を前記固定刃と前記可動刃により切断する機能を備えたプリンタ装置が形成されるものであることを特徴とする。
【０００８】
また、本実施の形態の他の一観点によれば、プリントヘッドにより記録媒体に印字を行なうプリンタ装置において、前記プリンタヘッドを備えたプリンタメインブロックを有し、前記プリンタメインブロックに、固定刃が設置される固定刃ブロック、前記固定刃に対して移動可能な可動刃が設置される可動刃ブロック、前記記録紙を搬送する搬送部を駆動する搬送用モータと、前記搬送用モータの駆動力を前記搬送部に伝達する搬送伝達部と、を有する搬送駆動ブロック、前記可動刃を動かすための可動刃用モータと、前記可動刃用モータの駆動力を前記可動刃に伝達する可動刃伝達部と、を有する可動刃駆動ブロック、のうちの１または２以上が着脱可能に装着することができることを特徴とする。
【発明の効果】
【０００９】
本発明によれば、用途に応じてブロックごとに交換することにより、プリンタ装置を様々な用途に対応させることができる。
【図面の簡単な説明】
【００１０】
【図１】本実施の形態におけるプリンタ装置の分解斜視図
【図２】本実施の形態におけるプリンタ装置の斜視図
【図３】本実施の形態におけるプリンタ装置において搬送駆動ブロック及び可動刃駆動ブロックを交換したものの分解斜視図
【図４】本実施の形態におけるプリンタ装置において搬送駆動ブロック及び可動刃駆動ブロックを交換したものの斜視図
【図５】本実施の形態におけるカッター機能を有しないプリンタ装置の分解斜視図
【図６】本実施の形態におけるカッター機能を有しないプリンタ装置の斜視図
【図７】本実施の形態におけるカッター機能を有しない他のプリンタ装置の分解斜視図
【図８】本実施の形態におけるカッター機能を有しない他のプリンタ装置の斜視図
【発明を実施するための形態】
【００１１】
本発明を実施するための形態について、以下に説明する。尚、同じ部材等については、同一の符号を付して説明を省略する。
【００１２】
（プリンタ装置）
図１及び図２に基づき、本実施の形態におけるプリンタ装置について説明する。本実施の形態におけるプリンタ装置は、主要部品がブロック化されており、主要部品がブロック化されているものを組み合わせることにより、プリンタ装置を作製することができる。尚、本実施の形態におけるプリンタ装置は、記録紙を切断する機能を備えたプリンタ装置である。しかしながら、後述するように、可動刃ブロック３０、固定刃ブロック４０及び可動刃駆動ブロック６０を取り外すことにより、記録紙を切断する機能を有しないカッターなしプリンタ装置にすることも可能である。
【００１３】
具体的には、本実施の形態におけるプリンタ装置は、図１に示すように、プリンタメインブロック１０、プラテンローラ２０、可動刃ブロック３０、固定刃ブロック４０、搬送駆動ブロック５０、可動刃駆動ブロック６０等を有している。
【００１４】
プリンタメインブロック１０には、プリントヘッドとなるサーマルヘッド１１、記録紙ガイド１２、フレーム１３等を有している。サーマルヘッド１１は、感熱紙等の記録紙に印字等をするものであり、サーマルヘッド１１とプラテンローラ２０との間に記録紙を挟んだ状態で、印字等を行なう。記録紙ガイド１２は、記録紙の搬送経路を形成するものであり、サーマルヘッド１１とプラテンローラ２０との間に、記録紙が搬送されるように設置されている。
【００１５】
可動刃ブロック３０には、可動刃と、可動刃を動かすためのギア等が設けられている。固定刃ブロック４０には、固定刃４１と固定刃バネ部４２等を有しており、固定刃４１は固定刃バネ部４２の上に設置されている。固定刃４１は、固定刃バネ部４２における不図示のバネの復元力により、図１において上方向に力が加えられている。可動刃ブロック３０における可動刃が固定刃４１の設けられている側に移動することにより、可動刃ブロック３０における可動刃と固定刃４１とにより、記録紙を切断することができる。この際、固定刃４１は、固定刃バネ部４２のバネ力により、可動刃に向けて付勢される。
【００１６】
搬送駆動ブロック５０は、搬送用モータ５１及びギアボックス５２等を有している。搬送駆動ブロック５０における搬送用モータ５１が回転することにより、ギアボックス５２における不図示のギアを介し、プラテンローラ２０が回転する。
【００１７】
可動刃駆動ブロック６０は、可動刃用モータ６１及びギアボックス６２等を有している。可動刃用モータ６１が回転することにより、ギアボックス６２における不図示のギアを介し、可動刃ブロック３０における可動刃を固定刃４１が設けられている側に動かすことができる。これにより、上述したように、可動刃ブロック３０における可動刃と固定刃４１とにより記録紙を切断することができる。
【００１８】
本実施の形態におけるプリンタ装置においては、プラテンローラ２０、可動刃ブロック３０、固定刃ブロック４０、搬送駆動ブロック５０、可動刃駆動ブロック６０は、プリンタメインブロック１０におけるフレーム１３等に取り付けることにより、接続されている。これにより、図２に示すような本実施の形態におけるプリンタ装置を作製することができる。
【００１９】
本実施の形態においては、プリンタメインブロック１０を交換することにより、仕様の異なるサーマルヘッド１１と交換することができる。例えば、２００ｄｐｉの仕様のサーマルヘッド１１から３００ｄｐｉの仕様のサーマルヘッド１１に交換する際には、プリンタメインブロック１０をブロックごと交換することにより、容易に所望の仕様に変更することができる。３００ｄｐｉ仕様のプリンタメインブロックと２００ｄｐｉ仕様のプリンタメインブロックの基本的な形状や構成、特に他要素が取り付けられる部分の構成を共通化することで、プリンタメインブロック同士の交換を容易にすることができる。これは、以下に説明する他要素についても同様である。また、低電圧仕様のサーマルヘッド１１から高速印字仕様のサーマルヘッド１１に交換する際には、プリンタメインブロック１０をブロックごと交換することにより、容易に所望の仕様に変更することができる。
【００２０】
また、記録紙の搬送速度や送り量、トルク等を変更する際には、異なる仕様の搬送用モータ５１またはギアボックス５２が取り付けられている搬送駆動ブロック５０をブロックごと交換することにより、所望の仕様に変更することができる。
【００２１】
また、印字する記録紙を厚さの異なる記録紙に変更する際には、トルク等が異なる仕様の可動刃用モータ６１またはギアボックス６２が取り付けられている可動刃駆動ブロック６０をブロックごと交換することにより、所望の仕様に変更することができる。
【００２２】
図３に示すように、プリンタメインブロック１０、プラテンローラ２０、可動刃ブロック３０、固定刃ブロック４０、搬送駆動ブロック１５０、可動刃駆動ブロック１６０等により所望の仕様のプリンタ装置を作製する場合について説明する。搬送駆動ブロック１５０は、図１に示される搬送駆動ブロック５０に代えて設置されるものであり、搬送駆動ブロック５０と比較して大型の搬送用モータ１５１及びギアボックス１５２を有している。可動刃駆動ブロック１６０は、図１に示される可動刃駆動ブロック６０に代えて設置されるものであり、可動刃駆動ブロック６０と比較して大型の可動刃用モータ１６１及びギアボックス１６２を有している。図２に示すプリンタ装置から仕様を変更する場合には、図２等に示される搬送駆動ブロック５０をフレーム１３等から取り外して、代えてフレーム１３等に搬送駆動ブロック１５０を取り付ける。同様に、可動刃駆動ブロック６０をフレーム１３等から取り外し、代えてフレーム１３等に可動刃駆動ブロック１６０を取り付ける。これにより、図２とは異なる仕様の図４に示される所望の仕様のプリンタ装置を得ることができる。
【００２３】
尚、上記においては、搬送駆動ブロック５０及び可動刃駆動ブロック６０を交換することにより、仕様を変更する場合について説明した。しかしながら、プリンタメインブロック１０、プラテンローラ２０、可動刃ブロック３０、固定刃ブロック４０についても、同様に交換することにより、別の異なる所望の仕様のプリンタ装置を得ることができる。
【００２４】
（カッターなしプリンタ装置）
次に、本実施の形態におけるプリンタ装置において、図３に示されるプリンタメインブロック１０、プラテンローラ２０、搬送駆動ブロック１５０を組み合わせることにより形成されるカッターなしプリンタ装置について説明する。
【００２５】
具体的には、図５に示されるように、プリンタメインブロック１０、プラテンローラ２０、搬送駆動ブロック１５０を組み合わせることにより、図６に示されるような、カッターなしプリンタ装置を形成することができる。
【００２６】
また、本実施の形態におけるプリンタ装置は、図６等に示されるような縦長（図６において上下方向に長い）となるように搬送駆動ブロックを設置する構造のもの以外にも、横長となるように搬送駆動ブロックを設置する構造のものであってもよい。具体的には、図７に示されるように、横長（図７において左右方向に長い）となるようなフレーム２１３を有するプリンタメインブロック２１０を用いて、横長に対応した構造の搬送駆動ブロック２５０とプラテンローラ２０とを組み合わせる。これにより、図８に示すような、横長となるように搬送駆動ブロックが設置されているカッターなしプリンタ装置を得ることができる。尚、搬送駆動ブロック２５０には、横長に対応した構造の搬送用モータ２５１及びギアボックス２５２が取り付けられている。尚、上述した図７及び図８においては、横長の構造のカッターなしプリンタ装置の場合について説明したが、カッターが設けられている構造のプリンタ装置においても横長の構造のプリンタ装置にすることが可能である。
【００２７】
尚、図６あるいは図８に図示したプリンタ装置には可動刃ブロック３０に相当する要素が設置されていないが、可動刃を搭載しておらず、かつ、可動刃ブロック３０と同等の外観・形状を有するブロックを設置するようにしてもよい。
【００２８】
以上、本発明の実施に係る形態について説明したが、上記内容は、発明の内容を限定するものではない。
【符号の説明】
【００２９】
１０        プリンタメインブロック
１１        サーマルヘッド
１２        記録紙ガイド
１３        フレーム
２０        プラテンローラ
３０        可動刃ブロック
４０        固定刃ブロック
４１        固定刃
４２        固定刃バネ部
５０        搬送駆動ブロック
５１        搬送用モータ
５２        ギアボックス
６０        可動刃駆動ブロック
６１        可動刃用モータ
６２        ギアボックス
【図１】
2015044355.tif 000003
【図２】
2015044355.tif 000004
【図３】
2015044355.tif 000005
【図４】
2015044355.tif 000006
【図５】
2015044355.tif 000007
【図６】
2015044355.tif 000008
【図７】
2015044355.tif 000009
【図８】
2015044355.tif 000010